(57)【要約】【課題】高い棚からの物の取り置きや高所での作業等に際し、乗っても揺れがなく安定した作業を行うことができ、また折り畳み収納が容易にできる踏み台の提供を課題とする。【解決手段】高い棚等から物を取ったり置いたりする場合や、高所の作業に用いることができる踏み台１であって、脚部１１０と階段状の踏み板３００を支持するための枠部１２０とを一体形成してなる前部支持枠体１００と、該前部支持枠体１００と結合する後部支持脚体２００と、前記枠部１２０に支持される踏み板３００とからなり、前記前部支持枠体１００の枠部１２０によってそれぞれ水平配置した複数の踏み板３００を階段状に固定し、前記前部支持枠体１００の脚部１１０と前記後部支持脚体２００とで４本の垂直な脚部１１０、２１０を構成する。【選択図】      図１
0003138320.tif 000002
【実用新案登録請求の範囲】
【請求項１】
高い棚等から物を取ったり置いたりする場合や、高所の作業に用いることができる踏み台であって、脚部と階段状の踏み板を支持するための枠部とを一体形成してなる前部支持枠体と、該前部支持枠体と結合する後部支持脚体と、前記枠部に支持される踏み板とからなり、前記前部支持枠体の枠部によってそれぞれ水平配置した複数の踏み板を階段状に固定し、前記前部支持枠体の脚部と前記後部支持脚体とで４本の垂直な脚部を構成することを特徴とする踏み台。
【請求項２】
後部支持脚体は、前部支持枠体の一側と枢結して折り畳み可能に構成してあることを特徴とする請求項１に記載の踏み台。
【請求項３】
後部支持脚体には、前部支持枠体に掛け渡すことで該後部支持脚体を固定させる脚部固定板を設けていることを特徴とする請求項１又は２に記載の踏み台。
【請求項４】
前部支持枠体は、脚部を垂直で一対となる前脚で構成し、枠部を前記脚部の上端から上方に延長して形成された傾斜枠と、該傾斜枠の上端と下端とにそれぞれ連結して固定される２段の水平枠とで構成し、該水平枠にそれぞれ踏み板を固定して支持する構成としてあることを特徴とする請求項１〜３の何れかに記載の踏み台。
【請求項５】
後部支持脚体は、前部支持枠体の枠部と枢結して回動自在となる垂直な２本の後脚と、該後脚との間に掛け渡して両者を一体化する後脚連結枠とで構成してあることを特徴とする請求項１〜４の何れかに記載の踏み台。
【考案の詳細な説明】
【技術分野】
【０００１】
本考案は、踏み台に関する。
【背景技術】
【０００２】
高い棚から物の取り置きや高所での作業等に、足場として用いるものに踏み台や脚立があり、用途に応じて用いられている。
一方、特開２００２−２６６５７７号には、適数段の踏み板と移動用のキャスター輪を備えた踏み台本体に、作業者が乗って安全に作業ができるよう、踏み台が動かない装置を設けた踏み台が提供されている。
また特開２００２−１６１６８６号公報には、爪先とステップ前端とが衝突した場合であっても、その衝撃を和らげてスムースに踏み台を昇ることができ、ステップ上で不安定な起立姿勢となることを防止することができる踏み台が提供されている。
また特開２００２−１３８７８２号公報には、前体と後体を上部において枢着し、前体の右部と左部間に踏み板が枢着されて折り畳み可能な踏み台であって、前体と後体を開くことで踏み板が水平状態に固定され、踏み台に乗っても不安定にならないと共に、踏み台を持ち上げても自重によって折り畳まれることがない踏み台が提供されている。
【特許文献１】特開２００２−２６６５７７号公報
【特許文献２】特開２００２−１６１６８６号公報
【特許文献３】特開２００２−１３８７８２号公報
【考案の開示】
【考案が解決しようとする課題】
【０００３】
上記従来の踏み台の場合は、それを高所での不安定な作業に使用する場合、足場として、踏み台本体の揺れ、脚部の浮き、踏み板の滑り、踏み台の耐重、収納スペース等の問題があった。
また特許文献１に示すような踏み台の場合、作業中に踏み台が動かないようにできるものではあるが、踏み台の本体が大きくなるので、収納スペースを必要とし、また収納し難いという問題がある。
また特許文献２に示すような踏み台の場合、ステップの前端面と足が衝突しても怪我をしないように、またステップで足が滑らないようになされているものの、この踏み台もまた本体が大きくなるので、収納スペースを必要とし、収納し難いという問題がある。
また特許文献３に示すような踏み台の場合、踏み板を水平状態にでき、また踏み台を持ち上げても折り畳まれることがないという効果があるものの、踏み台本体の揺れや、踏み板の耐荷重性に問題がある。
【０００４】
そこで本考案は上記従来技術の問題を解消し、高い棚からの物の取り置きや高所での作業等に際し、台の上に乗っても揺れがなく安定した作業を行うことができ、また折り畳み収納が容易にできる踏み台の提供を課題とする。
【課題を解決するための手段】
【０００５】
上記課題を達成するため本考案の踏み台は、高い棚等から物を取ったり置いたりする場合や、高所の作業に用いることができる踏み台であって、脚部と階段状の踏み板を支持するための枠部とを一体形成してなる前部支持枠体と、該前部支持枠体と結合する後部支持脚体と、前記枠部に支持される踏み板とからなり、前記前部支持枠体の枠部によってそれぞれ水平配置した複数の踏み板を階段状に固定し、前記前部支持枠体の脚部と前記後部支持脚体とで４本の垂直な脚部を構成することを第１の特徴としている。
また本考案の踏み台は、上記第１の特徴に加えて、後部支持脚体は、前部支持枠体の一側と枢結して折り畳み可能に構成してあることを第２の特徴としている。
また本考案の踏み台は、上記第１又は第２特徴に加えて、後部支持脚体には、前部支持枠体に掛け渡すことで該後部支持脚体を固定させる脚部固定板を設けていることを第３の特徴としている。
また本考案の踏み台は、上記第１〜第３の何れかの特徴に加えて、前部支持枠体は、脚部を垂直で一対となる前脚で構成し、枠部を前記脚部の上端から上方に延長して形成された傾斜枠と、該傾斜枠の上端と下端とにそれぞれ連結して固定される２段の水平枠とで構成し、該水平枠にそれぞれ踏み板を固定して支持する構成としてあることを第４の特徴としている。
また本考案の踏み台は、上記第１〜第４の何れかの特徴に加えて、後部支持脚体は、前部支持枠体の枠部と枢結して回動自在となる垂直な２本の後脚と、該後脚との間に掛け渡して両者を一体化する後脚連結枠とで構成してあることを第５の特徴としている。
【考案の効果】
【０００６】
請求項１に記載の踏み台によれば、高い棚等から物を取ったり置いたりする場合や、高所の作業に用いることができる踏み台であって、脚部と階段状の踏み板を支持するための枠部とを一体形成してなる前部支持枠体と、該前部支持枠体と結合する後部支持脚体と、前記枠部に支持される踏み板とからなり、前記前部支持枠体の枠部によってそれぞれ水平配置した複数の踏み板を階段状に固定し、前記前部支持枠体の脚部と前記後部支持脚体とで４本の垂直な脚部を構成するようにしてあるので、
脚部と枠部とが一体に形成された前部支持枠体の前記枠部に踏み板が固定されることで、脚部から踏み板までが一体的に固定されることになり、頑丈な踏み台を構成することができる。しかも複数の踏み板は、前記脚部と枠部とを一体形成した前部支持枠体に対して階段状に固定されるので、各段を構成する踏み板が相互にガタついたりすることも解消される。
また前部支持枠体とそれに結合される後部支持脚体とによって、４本の垂直な脚部が構成されるので、荷重を垂直な脚部によって十分に受け止めることができ、大きな荷重にも耐えることができる。
よって本考案の踏み台を用いることで、作業者は高所作業を、安定した姿勢で、十分な耐荷重性をもって、安全に作業を行うことができる。
勿論、本踏み台では複数の踏み板を階段状に固定しているので、作業者は、作業高さによって、踏み台に立ち上がる高さを容易に調整することができる。
【０００７】
また請求項２に記載の踏み台によれば、請求項１に記載の構成による作用効に加えて、後部支持脚体は、前部支持枠体の一側と枢結して折り畳み可能に構成してあるので、
必要に応じて、後部支持脚体を前部支持枠体側に折り畳むことができる。
後部支持脚体を折り畳めることによって、踏み台の嵩を低く、コンパクトすることができ、壁面への立て掛けや、家具との隙間、クローゼット等に容易に収納することができる。
【０００８】
また請求項３に記載の踏み台によれば、請求項１又は２に記載の構成による作用効果に加えて、後部支持脚体には、前部支持枠体に掛け渡すことで該後部支持脚体を固定させる脚部固定板を設けているので、
脚部固定板を後部支持脚体と前部支持枠体の間に掛け渡すことで、該後部支持脚体の垂直配置状態を確実に保持することができ、転倒等を防止することができる。
また前記前部支持枠体も共に支持されるので、前後方向における不安定な振らつきを充分制止することができる。
【０００９】
また請求項４に記載の踏み台によれば、請求項１〜３の何れかに記載の構成による作用効に加えて、前部支持枠体は、脚部を垂直で一対となる前脚で構成し、枠部を前記脚部の上端から上方に延長して形成された傾斜枠と、該傾斜枠の上端と下端とにそれぞれ連結して固定される２段の水平枠とで構成し、該水平枠にそれぞれ踏み板を固定して支持する構成としてあるので、
踏み板が２段の水平枠に固定され、その２段の水平枠が傾斜枠を介して相互に連結固定され、更にその傾斜枠の下端を延長して脚部が垂直に形成された構造となっているので、後部支持脚体を除いて、上段の踏み板、上段の水平枠、傾斜枠、下段の踏み板、下段の水平枠、一対の前脚を１つのユニット的な一体物として成立させることができる。
よって階段状の２つの踏み板が、それらを含む前記一体物の一部として確実に固定、支持されることになるので、乗っても揺れを感じない、十分に安定した踏み台を提供することができる。
【００１０】
また請求項５に記載の踏み台によれば、請求項１〜４の何れかに記載の構成による作用効に加えて、後部支持脚体は、前部支持枠体の枠部と枢結して回動自在となる垂直な２本の後脚と、該後脚との間に掛け渡して両者を一体化する後脚連結枠とで構成してあるので、
後部支持脚体の２本の後脚を後脚連結枠で連結状態にすることができ、よって両後脚を一体的に回動して、折り畳み状態にしたり、垂直状態にしたりすることができる。また両後脚を連結状態にすることにより、後脚としての強度をより強くすることができ、前記前部支持枠体の脚部と相俟って、踏み台を十分に強度のあるものにすることができる。
【考案を実施するための最良の形態】
【００１１】
以下の図面を参照して、本考案の実施形態に係る踏み台について説明する。
図１は本考案の実施形態に係る踏み台の斜視図、図２は本考案の実施形態に係る踏み台の背面図、図３は本考案の踏み台を折り畳んだ状態を示す側面図である。
【００１２】
先ず図１を参照して、本考案の実施形態に係る踏み台１は、前部支持枠体１００と、該前部支持枠体１００と結合する後部支持脚体２００と、踏み板３００とで構成される。
【００１３】
前記前部支持枠体１００は、脚部１１０と枠部１２０とで構成されている。
前記脚部１１０は、一対の前脚１１１、１１１からなり、該前脚１１１は、地面に対して垂直状態に接地する。前脚１１１にはゴムキャップ１１２が取り付けられており、これによって踏み台が滑ったり、踏み台を設置した場所に傷が付いたりするのを防止することができる。
【００１４】
前記枠部１２０は、一対の傾斜枠１２１、１２１と、２段の水平枠１２２、１２２とで構成されている。
傾斜枠１２１は、前記脚部１１０の上端から斜め上方に延長して形成されている。
また前記２段の水平枠１２２、１２２は、前記傾斜枠１２１の上端と下端とにそれぞれ連結された状態に構成される。２段の水平枠１２２には、それぞれ前記踏み板３００、３００が溶接等により固定されている。
【００１５】
前記２段の水平枠１２２、１２２は、その位置を相互に水平方向にずらして構成しているので、前記踏み板３００がそれぞれ固定された状態で、踏み板３００が階段状に配置されることになる。
水平枠１２２、１２２は、それぞれ水平に枠で略四角形状に連結構成されている。
前記一対の前脚１１１と傾斜枠１２１と、該傾斜枠１２１の上端に連結される上段の水平枠１２２、即ち図１の１２０ａで示す頂部の位置にある水平枠１２２のうちの前面位置に配置される枠辺を除く周枠とは、それらが１つの金属パイプを用いて、これを曲げ加工して構成されている。
前記上段の水平枠１２２（傾斜枠１２１の上端に連結される）と下段の水平枠１２２（傾斜枠１２１の下端に連結される）との間には、前記傾斜枠１２１の他に、一対の支柱１２２ａを立設して連結している。これによって上下段の水平枠１２２間が、傾斜枠１２１と支柱１２２ａ、１２２ａにより、三角形のトラス構造になされる。
【００１６】
図２も参照して、上段の水平枠１２２の後端側の下面底部の左右に、後部支持脚体２００の前記脚部２１０を挿着するための脚部挿着管１２３を取り付けている。脚部挿着管１２３は、前記後部支持脚体２００を挿着し易い、金属製の円筒管で構成される。
また下段の前記水平枠１２２の両側壁には、後部支持脚体２００から掛け渡される後述の脚部固定板２１５を掛止するための掛止ネジ２１８が取り付けられている。
【００１７】
以上のようにして前部支持枠体１００は、前記脚部１１０と前記枠部１２０とで一体形成されることで、強固な骨組みとなり、よって本踏み台１に作業者が乗っても揺れがなく、作業者は高所で安定した作業を行うことができる。
【００１８】
後部支持脚体２００は、一対の後脚２１１、２１１からなる脚部２１０と、該脚部２１０を連結して一体的に支持する後脚連結枠２１３とで構成される。
前記一対の後脚２１１の上端には、水平に左右方向に対向させて曲折させる曲折部２１１ａを形成している。
また後脚２１１には、本踏み台１が滑り動かないように、ゴムキャップ２１２をそれぞれ取り付けている。
前記各後脚２１１の曲折部２１１ａを、前記前部支持枠体１００の上段の水平枠１２２の下面に設けた脚部挿着管１２３に挿入することで、一対の後脚２１１からなる脚部２１０を前部支持枠体１００の枠部１２０に枢結することができる。即ち、後部支持脚体２００が前部支持枠体１００の枠部１２０に枢結される。これにより後部支持脚体２００は、前部支持枠体１００に対して回動自在となり、前部支持枠体１００の方向に折り畳むことができる。また折り畳んだ状態から垂直状態にまで回動することで、後部支持脚体２００を脚として使用することができる。
【００１９】
図３も参照して、後脚連結枠２１３は格子状の枠で形成され、前記後脚２１１のそれぞれ内側外壁に六角袋ボルトナット２１４で取り付けられる。
【００２０】
後部支持脚体２００には脚部固定板２１５を設けている。この脚部固定板２１５は、後部支持脚体２００の脚部２１０の各後脚２１１、２１１に、ボルトナット２１７により回動自在に取り付けられている。前記脚部固定板２１５の先端付近には係止溝２１６を設けており、前部支持枠体１００の下段の水平枠１２２に設けられた係止ネジ２１８に掛止することができる。
即ち、脚部２１０に回動自在に取り付けられた脚部固定板２１５を回動させて、その係止溝２１６を前記前部支持枠体１００側の係止ネジ２１８に掛け渡して掛止することで、後部支持枠体２００の脚部２１０が地面に対して垂直位置に確実に固定され、ぐらついたり、倒れたりすることなく、脚としての耐荷重性能を十分に発揮することができる。
【００２１】
踏み板３００は、四辺形で強靭性のある金属板で形成され、その板面にかかる荷重に対して耐久性が高められるよう構成される。
また踏み板３００は、作業者が該踏み板３００の上面に乗って作業する際に、足が滑らないよう滑り止め加工３０１がなされている。
また踏み板３００は、前記傾斜枠１２１の上端と下端内側とに設けられた金属製の前記水平枠１２２に四方を溶接して固定される。
【００２２】
上記のように本考案の踏み台１は、前記前部支持枠体１００に前記後部支持脚体２００を枢結して回動自在となるよう、前記枠部１２０の上段となる前記水平枠１２２に設けられる前記脚部挿着管１２３に前記後部支持脚体２００を挿着して取り付けられる。それにより前記前部支持枠体１００と前記後部支持脚体２００の４本の脚部が垂直になるように手で回動することができる。４本の脚部が垂直になった状態で、前記後部支持脚体２００に取り付けられた前記脚部固定板２１５を前記下段となる前記水平枠１２２に取り付けられる前記掛止ネジ２１８に掛け渡して掛止する。それによって前記前部支持枠体１００は前記後部支持脚体２００を支持するようになり、前記後部支持脚体２００が転倒したりしないように十分に固定することができる。このような構成によって、本踏み台によれば、人が階段状の踏み板３００の上面に乗っても揺れたりすることを十分に防止し、また荷重に対する耐久性も十分に達成できる。また踏み板３００に滑り止め加工３０１もなされているので、足が滑って落下する等の問題も回避して、安全に高所作業を行うことができる。
【００２３】
また本考案の踏み台１は、不使用時には、前記脚部固定板２１５を回動させて前記掛止ネジ２１８から外し、前記後部支持脚体２００を前記前部支持枠体１００の方向に折り畳んで、並列した状態にすることができる。これによって踏み台１は幅細くコンパクトになり、壁面に立掛けて置くことや、家具との隙間、クローゼットにも収納し易くなる。
【図面の簡単な説明】
【００２４】
【図１】本考案の実施形態に係る踏み台の斜視図である。
【図２】本考案の実施形態に係る踏み台の背面図である。
【図３】本考案の踏み台を折り畳んだ状態を示す側面図である。
【符号の説明】
【００２５】
１    踏み台
１００    前部支持枠体
１１０    脚部
１１１    前脚
１１２    ゴムキャップ
１２０    枠部
１２０ａ  頂部
１２１    傾斜枠
１２２    水平枠
１２２ａ  支柱
１２３    脚部挿着管
２００    後部支持脚体
２１０    脚部
２１１    後脚
２１１ａ  曲折部
２１２    ゴムキャップ
２１３    後脚連結枠
２１４    六角袋ボルトナット
２１５    脚部固定板
２１６    掛止溝
２１７    ボルトナット
２１８    掛止ネジ
３００    踏み板
３０１    滑り止め加工
【図１】
0003138320.tif 000003
【図２】
0003138320.tif 000004
【図３】
0003138320.tif 000005